(57)【特許請求の範囲】
【請求項１】
本体と、光源ユニットと、電池ユニットと、点灯ユニットと、カバーとを備え、
前記本体は、前面が開口した有底筒状に形成され、
前記電池ユニットは、電池と、前記電池を収容する電池ケースとを有し、
前記点灯ユニットは、前記電池を充電し、かつ、前記電池から供給される電力で前記光源ユニットを点灯させる点灯装置と、前記点灯装置を収容する筐体と、複数の操作部材とを有し、
前記光源ユニットは、前記筐体の前面に取り付けられ、
前記カバーは、前記光源ユニットから放射される光が通過する窓孔を有し、前記本体の前記前面の開口を開放可能に塞ぐように構成され、
前記電池ケースは、前記開口を通して前記本体内に抜き差し可能に挿入され、
前記点灯装置は、外部電源から供給される電力で前記電池を充電する充電回路と、前記外部電源が停電したときに前記電池から供給される電力で前記光源ユニットを点灯させる点灯回路と、複数の押釦スイッチと、発光素子と、赤外線を通信媒体とする無線信号を受信する受信部と、前記押釦スイッチの押釦が押操作されたとき及び前記受信部が前記無線信号を受信したときに前記点灯回路に前記光源ユニットを点灯させ、前記充電回路が前記電池を充電しているときに前記発光素子を発光させる制御回路と、少なくとも前記発光素子、前記受信部及び前記押釦スイッチを第１面に実装した回路基板とを有し、
前記回路基板は、前記発光素子及び前記受信部が前記本体の前面に近い方の端部に実装され、前記本体の前方から見て前記発光素子の後に前記押釦スイッチが実装されており、前記第１面を前記本体の内周面に対向させるように前記筐体内に収容され、
前記複数の操作部材は、前記カバーの前面に設けられる孔に臨む操作部と、前記本体の前後方向に沿って前記押釦スイッチの前記押釦と対向する押圧部と、前記押圧部と前記操作部を連結する連結部とをそれぞれ有し、
前記複数の操作部材のそれぞれの前記連結部は、前記本体の前方から見て前記操作部を前記発光素子及び前記受信部と重ねないように構成されることを特徴とする非常用照明装置。
【請求項２】
前記点灯ユニットは、前記操作部材を前記本体の前後方向に沿って移動可能に支持する支持部材を有することを特徴とする請求項１記載の非常用照明装置。
【請求項３】
本体と、光源ユニットと、電池ユニットと、点灯ユニットと、カバーとを備え、
前記本体は、前面が開口した有底筒状に形成され、
前記電池ユニットは、電池と、前記電池を収容する電池ケースとを有し、
前記点灯ユニットは、前記電池を充電し、かつ、前記電池から供給される電力で前記光源ユニットを点灯させる点灯装置と、前記点灯装置を収容する筐体と、複数の操作部材とを有し、
前記光源ユニットは、前記筐体の前面に取り付けられ、
前記カバーは、前記光源ユニットから放射される光が通過する窓孔を有し、前記本体の前記前面の開口を開放可能に塞ぐように構成され、
前記電池ケースは、前記開口を通して前記本体内に抜き差し可能に挿入され、
前記点灯装置は、外部電源から供給される電力で前記電池を充電する充電回路と、前記外部電源が停電したときに前記電池から供給される電力で前記光源ユニットを点灯させる点灯回路と、複数の押釦スイッチと、発光素子と、赤外線を通信媒体とする無線信号を受信する受信部と、前記押釦スイッチの押釦が押操作されたとき及び前記受信部が前記無線信号を受信したときに前記点灯回路に前記光源ユニットを点灯させ、前記充電回路が前記電池を充電しているときに前記発光素子を発光させる制御回路と、少なくとも前記発光素子、前記受信部及び前記押釦スイッチを第１面に実装した回路基板とを有し、
前記回路基板は、前記発光素子及び前記受信部が前記本体の前面に近い方の端部に実装され、前記本体の前方から見て前記発光素子の後に前記押釦スイッチが実装されており、前記第１面を前記本体の内周面に対向させるように前記筐体内に収容され、
前記複数の操作部材は、前記カバーの前面に設けられる孔に臨む操作部と、前記本体の前後方向に沿って前記押釦スイッチの前記押釦と対向する押圧部と、前記押圧部と前記操作部を連結する連結部とをそれぞれ有し、
前記複数の操作部材のうちの一つ操作部材の前記連結部は、前記本体の前方から見て前記操作部を前記発光素子と重ねるように構成され、少なくとも前記連結部と前記操作部は、前記発光素子から放射される光を導光するように構成されることを特徴とする非常用照明装置。
【請求項４】
前記操作部は、前記カバーの前方から見て前記孔と重なる鍔部を有することを特徴とする請求項１〜３のいずれか１項に記載の非常用照明装置。
【発明の詳細な説明】
【技術分野】
【０００１】
本発明は、非常用照明装置に関し、より詳細には電力系統の停電時に電池から供給される電力で非常用照明を行う非常用照明装置に関する。
【背景技術】
【０００２】
従来例として、特許文献１記載の照明装置（非常灯）を例示する。特許文献１記載の照明装置（以下、従来例という）は、本体と、本体内に収容されるユニット部と、本体内に収容される二次電池と、化粧枠とを備えている。本体は、例えばアルミニウムなどの金属により、化粧枠に覆われる開口を下端部に備えた略有蓋円筒状に形成されている。ユニット部は、合成樹脂製の筐体と、光源と、レンズと、点灯ユニットとを有し、筐体内に点灯ユニットを収容し、筐体下面の取付面部に光源とレンズが取り付けられて構成される。
【０００３】
点灯ユニットは、二次電池を充電する充電回路や二次電池を電源として光源を点灯する点灯回路が構成される回路基板を備える。回路基板の下端部には、充電回路による二次電池の充電状態を表示するためのモニタランプ（例えば、緑色光を放射する発光ダイオード）や、点検動作（二次電池を電源として点灯回路に光源を点灯させる動作）を開始させるための点検スイッチなどが実装される。点検スイッチは、操作用の引き紐を有している。この引き紐は、化粧枠に設けられる孔を通して化粧枠の下に引き出される。また、化粧枠は、引き紐が挿通される孔と並んで、モニタランプの光を透過させるための孔が設けられる。
【先行技術文献】
【特許文献】
【０００４】
【特許文献１】特開２０１５−６５０７６号公報
【発明の概要】
【発明が解決しようとする課題】
【０００５】
上記従来例のように、点灯ユニットの回路基板の下端部にモニタランプと点検スイッチが水平方向に並べて実装されていると、回路基板の幅寸法を短縮することは難しい。
【０００６】
本発明は、上記課題に鑑みてなされており、点灯ユニットを構成する回路基板の小型化を図ることを目的とする。
【課題を解決するための手段】
【０００７】
本発明の非常用照明装置は、本体と、光源ユニットと、電池ユニットと、点灯ユニットと、カバーとを備え、前記本体は、前面が開口した有底筒状に形成され、前記電池ユニットは、電池と、前記電池を収容する電池ケースとを有し、前記点灯ユニットは、前記電池を充電し、かつ、前記電池から供給される電力で前記光源ユニットを点灯させる点灯装置と、前記点灯装置を収容する筐体と、複数の操作部材とを有し、前記光源ユニットは、前記筐体の前面に取り付けられ、前記カバーは、前記光源ユニットから放射される光が通過する窓孔を有し、前記本体の前記前面の開口を開放可能に塞ぐように構成され、前記電池ケースは、前記開口を通して前記本体内に抜き差し可能に挿入され、前記点灯装置は、外部電源から供給される電力で前記電池を充電する充電回路と、前記外部電源が停電したときに前記電池から供給される電力で前記光源ユニットを点灯させる点灯回路と、複数の押釦スイッチと、発光素子と、赤外線を通信媒体とする無線信号を受信する受信部と、前記押釦スイッチの押釦が押操作されたとき及び前記受信部が前記無線信号を受信したときに前記点灯回路に前記光源ユニットを点灯させ、前記充電回路が前記電池を充電しているときに前記発光素子を発光させる制御回路と、少なくとも前記発光素子、前記受信部及び前記押釦スイッチを第１面に実装した回路基板とを有し、前記回路基板は、前記発光素子及び前記受信部が前記本体の前面に近い方の端部に実装され、前記本体の前方から見て前記発光素子の後に前記押釦スイッチが実装されており、前記第１面を前記本体の内周面に対向させるように前記筐体内に収容され、前記複数の操作部材は、前記カバーの前面に設けられる孔に臨む操作部と、前記本体の前後方向に沿って前記押釦スイッチの前記押釦と対向する押圧部と、前記押圧部と前記操作部を連結する連結部とをそれぞれ有し、前記複数の操作部材のそれぞれの前記連結部は、前記本体の前方から見て前記操作部を前記発光素子及び前記受信部と重ねないように構成されることを特徴とする。
【０００８】
本発明の非常用照明装置は、本体と、光源ユニットと、電池ユニットと、点灯ユニットと、カバーとを備え、前記本体は、前面が開口した有底筒状に形成され、前記電池ユニットは、電池と、前記電池を収容する電池ケースとを有し、前記点灯ユニットは、前記電池を充電し、かつ、前記電池から供給される電力で前記光源ユニットを点灯させる点灯装置と、前記点灯装置を収容する筐体と、複数の操作部材とを有し、前記光源ユニットは、前記筐体の前面に取り付けられ、前記カバーは、前記光源ユニットから放射される光が通過する窓孔を有し、前記本体の前記前面の開口を開放可能に塞ぐように構成され、前記電池ケースは、前記開口を通して前記本体内に抜き差し可能に挿入され、前記点灯装置は、外部電源から供給される電力で前記電池を充電する充電回路と、前記外部電源が停電したときに前記電池から供給される電力で前記光源ユニットを点灯させる点灯回路と、複数の押釦スイッチと、発光素子と、赤外線を通信媒体とする無線信号を受信する受信部と、前記押釦スイッチの押釦が押操作されたとき及び前記受信部が前記無線信号を受信したときに前記点灯回路に前記光源ユニットを点灯させ、前記充電回路が前記電池を充電しているときに前記発光素子を発光させる制御回路と、少なくとも前記発光素子、前記受信部及び前記押釦スイッチを第１面に実装した回路基板とを有し、前記回路基板は、前記発光素子及び前記受信部が前記本体の前面に近い方の端部に実装され、前記本体の前方から見て前記発光素子の後に前記押釦スイッチが実装されており、前記第１面を前記本体の内周面に対向させるように前記筐体内に収容され、前記複数の操作部材は、前記カバーの前面に設けられる孔に臨む操作部と、前記本体の前後方向に沿って前記押釦スイッチの前記押釦と対向する押圧部と、前記押圧部と前記操作部を連結する連結部とをそれぞれ有し、前記複数の操作部材のうちの一つ操作部材の前記連結部は、前記本体の前方から見て前記操作部を前記発光素子と重ねるように構成され、少なくとも前記連結部と前記操作部は、前記発光素子から放射される光を導光するように構成されることを特徴とする。
【発明の効果】
【０００９】
本発明の非常用照明装置は、点灯ユニットを構成する回路基板の小型化を図ることができるという効果がある。
【図面の簡単な説明】
【００１０】
【図１】実施形態に係る非常用照明装置の分解斜視図である。
【図２】実施形態に係る非常用照明装置を示し、図２Ａは背面図、図２Ｂは正面図、図２Ｃは平面図である。
【図３】実施形態に係る非常用照明装置を示し、カバーを取り外した状態の一部破断した正面図である。
【図４】実施形態に係る非常用照明装置の要部の断面図である。
【図５】実施形態に係る非常用照明装置における点灯装置の回路ブロック図である。
【図６】実施形態に係る非常用照明装置における光源ユニットの縦断面図である。
【図７】実施形態に係る非常用照明装置における点灯ユニットの正面図である。
【図８】実施形態に係る非常用照明装置における点灯ユニットを示し、第２筐体を省略した平面図である。
【図９】実施形態に係る非常用照明装置における点灯ユニットの分解斜視図である。
【図１０】実施形態に係る非常用照明装置における点灯ユニットの断面図である。
【図１１】実施形態に係る非常用照明装置における点灯ユニットの操作部材の別の構成を示す斜視図である。
【図１２】別の実施形態に係る非常用照明装置における点灯ユニットの一部省略した要部の斜視図である。
【図１３】別の実施形態に係る非常用照明装置における点灯ユニットの一部省略した要部の側面図である。
【発明を実施するための形態】
【００１１】
以下、本実施形態に係る非常用照明装置Ｘについて、図面を参照して詳細に説明する。本実施形態に係る非常用照明装置Ｘは、電池内蔵型の非常灯（非常用照明器具）として構成されている。なお、以下の実施形態で説明する構成は本発明の一例にすぎない。本発明は、以下の実施形態に限定されず、本発明に係る技術的思想を逸脱しない範囲であれば、設計等に応じて種々の変更が可能である。
【００１２】
本実施形態に係る非常用照明装置Ｘは、図１に示すように、本体１、光源ユニット２、電池ユニット３、点灯ユニット４、カバー５、支持具６並びに取付ばね７を備え、建物の通路や廊下などの天井に埋込配設される。ただし、以下の非常用照明装置Ｘの説明では、図１において上下、左右、前後の各方向を規定する。
【００１３】
光源ユニット２は、図６に示すように、ＬＥＤモジュール２０、放熱部材２１、レンズブロック２２、取付部材２３、押さえ部材２４、熱伝導シート２５並びにプラグコネクタ２６などを備えることが好ましい。ＬＥＤモジュール２０は、矩形平板状の実装基板２００の上面中央に１個又は複数個のＬＥＤチップ（固体発光素子）が実装される。これらのＬＥＤチップは、例えば、青色光を放射する青色発光ダイオードであることが好ましい。また、ＬＥＤチップを含む実装基板２００の上面は、ＬＥＤチップから放射される青色光を波長変換する蛍光物質が混入された封止樹脂で円盤状に被われる。さらに、実装基板２００の対角の位置にある一対の角部の上面には、カソードの電極とアノードの電極が形成されている。なお、ＬＥＤモジュール２０は、アノードの電極とカソードの電極に直流電圧が印加されることにより、白色の照明光を放射するように構成される。
【００１４】
熱伝導シート２５は、高熱伝導率、電気絶縁性及び難燃性を有するシリコーン樹脂製のシート材で構成されることが好ましい。熱伝導シート２５は、ＬＥＤモジュール２０の実装基板２００と放熱部材２１との間に介在し、ＬＥＤチップから発せられて実装基板２００を通して伝導される熱を、放熱部材２１に伝導するように構成される。
【００１５】
押さえ部材２４は、例えば、ポリカーボネート樹脂などの合成樹脂材料によって、おおよそ円盤状に形成されることが好ましい。押さえ部材２４は、中央にほぼ矩形の孔２４０を有する。また、押さえ部材２４の上面における孔２４０の周囲に凹所２４１が設けられる。さらに、押さえ部材２４の上面において、孔２４０の対角の位置に、押さえ突起２４２がそれぞれ形成されている。また、押さえ部材２４は、角筒状のコネクタ保持部２４３を有する。このコネクタ保持部２４３は、プラグコネクタ２６を内側に収容して保持するように構成される（図６参照）。
【００１６】
プラグコネクタ２６は、一対のコンタクトと、これら一対のコンタクトを電気的に絶縁した状態で支持するコネクタハウジング２６０とを有する。片方のコンタクトは、電線を介してＬＥＤモジュール２０のカソード電極と電気的に接続される。もう片方のコンタクトは、別の電線を介してＬＥＤモジュール２０のアノード電極と電気的に接続される。
【００１７】
レンズブロック２２は、例えば、ガラス製であって、おおよそ円錐台形状のレンズ部２２０と、レンズ部２２０の周縁から外向きに突出する円環状の外鍔部２２１とを有することが好ましい（図１及び図６参照）。レンズ部２２０は、図６に示すように、おおよそ回転放物面形状の入射面２２００が形成されている。レンズ部２２０は、入射面２２００に入射する光（ＬＥＤモジュール２０から放射される照明光）の配光を制御するように構成される。
【００１８】
取付部材２３は、例えば、ポリカーボネート樹脂などの合成樹脂材料によって、おおよそ円環状に形成されることが好ましい（図１参照）。取付部材２３は、枠部２３０、一対の引掛部２３２、固定部２３３などを有することが好ましい（図６参照）。枠部２３０は、円環状の主部２３００と、主部２３００の外周縁から全周に渡って下向きに突出する円筒形状の周壁部２３０１とを有する。主部２３００は、円形の窓孔２３１を有する。一対の引掛部２３２は、周壁部２３０１の左前及び右前の下面から下向きに突出するように周壁部２３０１と一体に形成されることが好ましい。引掛部２３２は、周壁部２３０１から下向きに突出する直方体状の突片２３２０と、突片２３２０から周壁部２３０１と並行して突出する直方体状の引掛片２３２１とを有する（図１参照）。つまり、引掛部２３２は、全体としてＬ字状に形成されることが好ましい。固定部２３３は、おおよそ台形状に形成されることが好ましい。固定部２３３は、枠部２３０の周壁部２３０１における後面から後方へ突出するように、周壁部２３０１と一体に形成されることが好ましい（図１参照）。なお、固定部２３３は、中央に円形のねじ挿通孔２３３０が設けられることが好ましい。
【００１９】
放熱部材２１は、アルミ又はアルミ合金製の板材で構成され、ＬＥＤモジュール２０と熱結合される結合部２１０と、点灯ユニット４の筐体４１に固定される固定部２１１とを有することが好ましい（図６参照）。さらに、放熱部材２１は、結合部２１０と固定部２１１を繋ぐ連結部２１２を有することが好ましい。結合部２１０は、おおよそ円盤状に形成されることが好ましい。固定部２１１は、おおよそ台形状に形成されることが好ましい。連結部２１２は、矩形に形成されることが好ましい。ただし、固定部２１１は、結合部２１０及び連結部２１２のいずれよりも左右方向の幅寸法を大きくするように構成されることが好ましい。
【００２０】
結合部２１０の前端における左右両側には、それぞれ被引掛部２１３が設けられる。被引掛部２１３は、取付部材２３の引掛部２３２を放熱部材２１の厚み方向（上下方向）に通過させ、かつ、引掛部２３２を厚み方向と交差する方向（左右方向及び前後方向）に移動可能に構成されることが好ましい。被引掛部２１３は、放熱部材２１（の結合部２１０）の周縁部分に形成される切欠２１３０を有することが好ましい。切欠２１３０は、おおよそ矩形に形成されることが好ましい。被引掛部２１３は、切欠２１３０と、切欠２１３０の隣（左隣）に位置する部位とで構成されることが好ましい（図１参照）。ただし、被引掛部２１３は、切欠２１３０の代わりに、放熱部材２１を厚み方向に貫通する孔を有してもよい。この場合、被引掛部２１３は、孔と、孔の隣に位置する部位（被引掛部位）とで構成される。
【００２１】
固定部２１１には、２つの丸孔２１１０と、１つのねじ孔（第１ねじ孔２１１１）とが設けられる（図１参照）。２つの丸孔２１１０は、左右方向に一列に並ぶように設けられることが好ましい。第１ねじ孔２１１１は、固定部２１１の右端近くに設けられることが好ましい。また、連結部２１２には、矩形の挿通孔２１２０と、ねじ孔（第２ねじ孔）とが設けられることが好ましい。挿通孔２１２０は、連結部２１２のほぼ中央に設けられて押さえ部材２４のコネクタ保持部２４３が挿通される（図６参照）。また、第２ねじ孔は、挿通孔２１２０の左後方の位置に設けられ、取付部材２３の固定部２３３のねじ挿通孔２３３０に挿通されるねじがねじ込まれる。
【００２２】
本体１は、下面が開口した有底筒状に形成される。また、本体１は、左右両側に平坦な面（平坦面）を有し、それらの平坦面を除く周面が円筒面となるように構成されている。さらに、本体１の下端縁には、外向きに突出する円環状のフランジ１０が形成されている（図１及び図３参照）。なお、本体１は、本体１の下端の近傍における左前方の位置から内側に突出する被固定部１２を有することが好ましい。この被固定部１２は矩形の平板状に形成され、先端の近傍にねじ挿通孔１２０が設けられることが好ましい（図１及び図３参照）。
【００２３】
本体１の左右両側の平坦面には、それぞれ支持具６が１つずつ取り付けられている（図２Ａ及び図２Ｃ参照）。これら一対の支持具６は、長尺の板ばね状に形成されることが好ましい。それぞれの支持具６は、長手方向の一端部で本体１の平坦面に固定され、かつ、長手方向の他端部が本体１の底板１１に近付く向き（上向き）に撓み可能に構成されている。つまり、本体１は、埋込孔内に挿入される一対の支持具６と、本体１の下端面に設けられるフランジ１０との間で天井材を挟み込むようにして天井材に支持される。
【００２４】
カバー５は、本体１のフランジ１０の外径よりも大きい円盤状に形成され、中央に円形の窓孔５０が設けられている（図１及び図２Ｂ参照）。この窓孔５０には、光源ユニット２のレンズ部２２０が挿通される。カバー５は、本体１の前面の開口を開放可能に塞ぐように構成されている。カバー５の上面における前端及び後端には、それぞれ取付ばね７が取り付けられている。これら一対の取付ばね７は、本体１の内周面の前側及び後側にそれぞれ一対ずつ設けられる挿通溝１３に抜き差し可能に挿通される。つまり、カバー５は、一対の取付ばね７がそれぞれ一対の挿通溝１３に挿通されることにより、本体１の下面を閉塞する状態で本体１に保持される（図２Ｃ参照）。また、カバー５は、窓孔５０の近傍に４つの孔（第１孔５３、第２孔５４、第３孔５５、第４孔５６）が設けられている（図１参照）。なお、これら４つ孔５３〜５６は、縦横２列かつ等間隔に並べて設けられることが好ましい。
【００２５】
電池ユニット３は、複数本の電池３０と、これら複数本の電池３０を収容する電池ケース３１とを有する（図１及び図３参照）。電池３０は、例えば、円筒形のニッカド電池、あるいは、円筒形のニッケル水素電池などの２次電池が好ましい。電池ケース３１は、上下両側の底面が馬蹄形（Ｕ字形）である筒状に形成されることが好ましい。複数本の電池３０は、軸方向を上下方向とし、径方向に沿って一列に並ぶように電池ケース３１内に収容されることが好ましい。
【００２６】
電池ケース３１の下側の前端部には、点灯ユニット４と電気的に接続されるコネクタ部３２が設けられている（図１参照）。コネクタ部３２は、一対のコンタクトと、これら一対のコンタクトを電気的に絶縁した状態で支持するコネクタハウジング３２０とを有する。片方のコンタクトは、電池ケース３１内で電気的に直列接続されている複数本の電池３０のうちの一方の端の電池３０の正極と電気的に接続される。もう片方のコンタクトは、他方の端の電池３０の負極と電気的に接続される。
【００２７】
また、電池ケース３１の下側の後端部には、抜け止め部３３が設けられている（図１参照）。抜け止め部３３は、上端が電池ケース３１に固定されて左右方向に撓み可能に構成されるばね片３３０と、ばね片３３０の下端寄りの左側面に設けられる突起３３１とを有する。突起３３１は、下に向かってばね片３３０から離れる向きに傾斜する斜面を有した三角柱状に形成されることが好ましい（図４参照）。
【００２８】
点灯ユニット４は、点灯装置４０と、点灯装置４０を収容する筐体４１とを有する。点灯装置４０の回路ブロック図を図５に示す。点灯装置４０は、直流電源回路４００、充電回路４０１、点灯回路４０２、停電検出回路４０３、制御回路４０４、モニタランプ４０５、押釦スイッチ４０６、受信部４０７などを備えることが好ましい。
【００２９】
直流電源回路４００は、例えば、リンギングチョークコンバータなどの自励型のスイッチング電源回路で構成され、外部電源（例えば、商用の電力系統）Ｗから供給される交流電圧を、当該交流電圧の実効値よりも低い直流電圧に変換することが好ましい。充電回路４０１は、外部電源Ｗから給電されているときに動作し、直流電源回路４００から電池ユニット３へ一定の充電電流を流すように構成されることが好ましい。点灯回路４０２は、電池ユニット３から供給される直流電流を定電流化して光源ユニット２に供給するように構成されることが好ましい。停電検出回路４０３は、直流電源回路４００の出力電圧から外部電源Ｗの停電を検出して制御回路４０４に通知するように構成される。モニタランプ４０５は、例えば、緑色光を放射する発光ダイオードで構成され、充電回路４０１から電池ユニット３に供給される充電電流によって発光させられることが好ましい。受信部４０７は、赤外線を通信媒体とする無線信号を受信し、受信した無線信号から送信フレームを復調して制御回路４０４に渡すように構成される。この無線信号は、定期点検の作業を行う作業者に操作されるワイヤレス送信器から送信される。なお、定期点検とは、法令で定められた期間ごとに実施され、点灯回路４０２を強制的に動作させて光源ユニット２が規定の時間以上、点灯状態を維持することを確認することを目的とする。
【００３０】
制御回路４０４は、停電検出回路４０３が停電を検出していないとき、充電回路４０１を動作させ、かつ、点灯回路４０２を停止させるように構成される。また、制御回路４０４は、停電検出回路４０３が停電を検出しているとき、充電回路４０１を停止させ、かつ、点灯回路４０２を動作させるように構成される。さらに、制御回路４０４は、一方の押釦スイッチ４０６Ａが押操作された場合、あるいは、受信部４０７から送信フレームを受け取った場合、充電回路４０１を停止させ、かつ、点灯回路４０２を動作させて定期点検動作を行うように構成される。ただし、制御回路４０４は、他方の押釦スイッチ４０６Ｂが押操作された場合は、点灯回路４０２を数秒間動作させた後、再度、点灯回路４０２を停止させ、かつ、充電回路４０１を動作させるように構成されることが好ましい。
【００３１】
点灯装置４０は、プリント配線板からなる回路基板４４の第１面４４０に実装される種々の電子部品４４１と、回路基板４４の第２面（第１面４４０の裏面）に形成される導体とで各回路を実現するように構成される（図８〜図１０参照）。モニタランプ４０５、受信部４０７及び２つの押釦スイッチ４０６Ａ、４０６Ｂは、いずれも回路基板４４の第１面４４０における下端近くに実装される。ただし、２つの押釦スイッチ４０６Ａ、４０６Ｂは、いずれも押釦４０６０Ａ、４０６０Ｂを下に向けて実装される。また、モニタランプ４０５は、一方の押釦スイッチ４０６Ａの押釦４０６０Ａの下に実装される。さらに、受信部４０７は、他方の押釦スイッチ４０６Ｂの押釦４０６０Ｂの下に実装される（図８参照）。なお、回路基板４４の第１面における上端部には、電源入力用の端子台４４２が実装されている。
【００３２】
点灯ユニット４の筐体４１は、図７及び図９に示すように、第１筐体４１３と第２筐体４１４が結合されて箱状に形成されることが好ましい。第１筐体４１３は、一面（左側面）が開放された矩形の箱状に形成されることが好ましい。また、第１筐体４１３の外側の底面（右側面）には、速結式の端子台４３が取り付けられる取付台４１３０が一体に形成されることが好ましい（図２Ｃ、図７及び図９参照）。
【００３３】
第２筐体４１４は、一面（右側面）が開放された箱状に形成され、開放端を、第１筐体４１３の開放端と突き合わすようにして第１筐体４１３に結合されることが好ましい。ただし、第２筐体４１４の上面及び下面は、１つの辺（第１辺）が対向する他の１つの辺（第２辺）よりも長く、かつ、第１辺の両側の２つの辺（第３辺及び第４辺）が平行となる六角形に形成されることが好ましい（図７参照）。さらに、筐体４１（第２筐体４１４）の下面には、３つの開口部４１０Ａ、４１０Ｂ、４１０Ｃが前後方向に一列に並ぶように設けられている。前端の開口部４１０Ａの奥（上）には、回路基板４４の第１面４４０に実装された受け側のコネクタ４０９が配置される（図７参照）。このコネクタ４０９は、電池ユニット３のコネクタ部３２と挿抜可能かつ電気的に接続される。また、中央の開口部４１０Ｂの奥（上）には、回路基板４４の第１面４４０に実装されたレセプタクルコネクタ４０８が配置される。このレセプタクルコネクタ４０８は、光源ユニット２のプラグコネクタ２６と挿抜可能かつ電気的に接続される。さらに、後端の開口部４１０Ｃの奥（上）には、モニタランプ４０５、２つの押釦スイッチ４０６Ａ、４０６Ｂ、受信部４０７及び２つの操作部材４２が配置される（図７参照）。
【００３４】
操作部材４２は、円柱状の操作部４２０と、同じく円柱状の第１押圧部４２１と、操作部４２０と押圧部４２１を連結する連結部４２２とを有する（図７及び図９参照）。操作部４２０は、軸方向（長手方向）の一端（上端）に、操作部４２０の直径よりも直径の大きい円盤状のフランジ部４２００を有することが好ましい。第１押圧部４２１は、軸方向（長手方向）の寸法が、操作部４２０の軸方向（長手方向）の寸法のおおよそ半分に形成されている（図７及び図９参照）。連結部４２２は、厚み寸法が操作部４２０及び第１押圧部４２１の直径よりも小さい直方体状に形成されることが好ましい。ここで、操作部材４２は、第２押圧部４２３を有することが好ましい。第２押圧部４２３は、半円柱状に形成され、第１押圧部４２１の側面から突出するように構成されることが好ましい（図７参照）。なお、操作部材４２の操作部４２０、第１押圧部４２１、連結部４２２並びに第２押圧部４２３は、合成樹脂成形体として一体に形成されることが好ましい。
【００３５】
また、点灯ユニット４は、２つの操作部材４２を筐体４１の上下方向に沿って移動可能に支持する支持部材４５を備えることが好ましい。支持部材４５は、一対の挟み部４５０と、これら一対の挟み部４５０を保持する保持枠４５１とを有する（図９参照）。保持枠４５１は、一対の脚部４５１１と、一対の脚部４５１１の先端同士を繋ぐ主部４５１０と、一対の脚部４５１１の間に配置される補強壁４５１２とを有する。一対の挟み部４５０は、軸方向から見た形状がＣ字状となる筒形に形成されて保持枠４５１の主部４５１０に支持される。これらの挟み部４５０は、軸方向に沿った開口４５００を通して操作部４２０が内部に挿入され、かつ、挿入された操作部４２０を軸方向（長手方向）に沿って移動可能に挟み込んで支持する。なお、操作部材４２は、操作部４２０の一端（上端）に設けられたフランジ部４２００によって、挟み部４５０から抜け止めされる（図１０参照）。
【００３６】
一対の脚部４５１１の後端からは、それぞれ結合爪４５１３が突出している。これらの結合爪４５１３は、三角柱状に形成され、第１筐体４１３に設けられた２つの段部４１３１、４１３２に各別に引っ掛けられる（図７及び図９参照）。そして、２つの結合爪４５１３が２つの段部４１３１、４１３２にそれぞれ引っ掛けられることにより、保持枠４５１が第１筐体４１３に結合される（図７参照）。ここで、２つの操作部材４２は、図７に示すように、筐体４１の下から見て、モニタランプ４０５及び受信部４０７と重ならないように支持部材４５に支持されている。そして、一方の押釦スイッチ４０６Ａは、一方の操作部材４２が上向きに移動したときに第１押圧部４２１に押釦４０６０Ａが押される。また、他方の押釦スイッチ４０６Ｂは、他方の操作部材４２が上向きに移動したときに第２押圧部４２３に押釦４０６０Ｂが押される。なお、操作部材４２は、操作部４２０が上向きに押されなくなれば、押釦スイッチ４０６Ａ、４０６Ｂの押釦４０６０Ａ、４０６０Ｂの復帰力（ばね力）によって、元の位置（フランジ部４２００が挟み部４５０と当たる位置）に戻る（図１０参照）。
【００３７】
点灯ユニット４は、図１及び図３に示すように、第１筐体４１３の上面及び下面の第２辺を平坦面に沿わせるようにして、本体１内に収容される。そして、点灯ユニット４は、筐体４１の上面が本体１の底板１１に設けられた固定片１１０にねじ止めされることによって、本体１に固定される（図２Ａ参照）。ただし、筐体４１の取付台４１３０に取り付けれた速結式の端子台４３は、図２Ｃに示すように、本体１の底板１１に設けられる段差部１１１の孔１１１０を通して、差込口４３０を本体１の外に露出させることが好ましい。つまり、これらの差込口４３０に電源線の導体が差し込まれることにより、端子台４３から回路基板４４に実装された端子台４４２を介して外部電源Ｗと点灯装置４０とが電気的に接続される。
【００３８】
次に、本実施形態に係る非常用照明装置Ｘの組立手順を説明する。ただし、一対の支持具６は、既に本体１に取り付けられている。
【００３９】
まず、組立作業を行う作業者は、本体１内に点灯ユニット４を収容し、本体１の底板１１の固定片１１０に点灯ユニット４の筐体４１をねじ止めして固定する（図１参照）。それから、作業者は、光源ユニット２を点灯ユニット４の筐体４１に取り付ける。ここで、筐体４１の下面には、放熱部材２１の２つの丸孔２１１０にそれぞれ個別に挿通される２つの突起４１１が下向きに突設されている。つまり、作業者は、放熱部材２１の固定部２１１に設けられている２つの丸孔２１１０に２つの突起４１１を個別に挿通させて位置決めするようにして、固定部２１１を筐体４１の下面に載せる。ただし、作業者は、本体１の被固定部１２が放熱部材２１の下になるように、被固定部１２と筐体４１の下面との間に固定部２１１を挿入する（図３参照）。それから、作業者は、被固定部１２のねじ挿通孔１２０に挿通したねじを、放熱部材２１の固定部２１１に設けられている第１ねじ孔２１１１にねじ込むことにより、光源ユニット２を点灯ユニット４の筐体４１に取り付ける（図３参照）。このとき、光源ユニット２のプラグコネクタ２６は、筐体４１の中央の開口部４１０Ｂの奥に配置されているレセプタクルコネクタ４０８と電気的かつ機械的に接続される。なお、固定部２１１には、丸孔２１１０の代わりに、突起４１１が嵌まる凹部が設けられても構わない。
【００４０】
続いて、作業者は、本体１内に電池ユニット３を収容する。電池ユニット３のコネクタ部３２は、電池ユニット３が本体１内に収容される際に、点灯ユニット４の筐体４１に設けられている開口部４１０Ａを通して、点灯ユニット４の受け側のコネクタ４０９と電気的かつ機械的に接続される。ここで、筐体４１の右側面の後端寄りの部位には、凹部４１２が設けられている（図４参照）。そして、電池ユニット３の抜け止め部３３の突起３３１が筐体４１の凹部４１２に引っ掛かることにより、電池ユニット３が点灯ユニット４の筐体４１に取り付けられる。なお、作業者は、抜け止め部３３のばね片３３０を指で摘まんで撓ませ、突起３３１と凹部４１２の引っ掛かりを解除することにより、光源ユニット２が点灯ユニット４の筐体４１に取り付けられた状態で本体１から電池ユニット３を引き抜いて取り外すことができる。
【００４１】
最後に、作業者は、一対の取付ばね７を本体１の内周面の前側及び後側にそれぞれ一対ずつ設けられる挿通溝１３に挿通することにより、本体１の下面を閉塞するようにカバー５を本体１に保持させる（図２Ｃ参照）。以上のようにして、本実施形態に係る非常用照明装置Ｘの組立が完了する。
【００４２】
ここで、点灯ユニット４のモニタランプ４０５及び受信部４０７は、操作部材４２に遮られることなく、本体１に取り付けられたカバー５の第２孔５４及び第４孔５６に臨んでいる。つまり、モニタランプ４０５が発する光は、第２孔５４を通過してカバー５の外へ放射される。また、赤外線を通信媒体とする無線信号は、第４孔５６を通過して受信部４０７で受信される。さらに、点灯ユニット４の２つの操作部材４２（の操作部４２０）は、それぞれカバー５の第１孔５３及び第３孔５５にそれぞれ臨んでいる。ただし、第３孔５５は、操作部材４２の操作部４２０の先端部分が挿通されている。つまり、第１孔５３及び第３孔５５を通して操作部４２０が押されると、それぞれの操作部材４２が上向きに移動する。その結果、押釦スイッチ４０６Ａの押釦４０６０Ａ及び押釦スイッチ４０６Ｂの押釦４０６０Ｂがそれぞれ操作部材４２の第１押圧部４２１及び第２押圧部４２３に押圧され、押釦スイッチ４０６Ａ、４０６Ｂがオンする。
【００４３】
このように本実施形態に係る非常用照明装置Ｘは、押釦スイッチ４０６Ａの押釦４０６０Ａを操作するための操作部材４２が、カバー５の正面から見て、モニタランプ４０５と重ならないように構成されている（図３及び図７参照）。そのため、本実施形態に係る非常用照明装置Ｘは、点灯ユニット４の回路基板４４の下端部にモニタランプ４０５と押釦スイッチ４０６Ａを鉛直方向に並べて実装することにより、回路基板４４の幅寸法（水平方向の長さ寸法）の短縮を図ることができる。
【００４４】
ところで、操作部材４２の操作部４２０は、カバー５の第１孔５３及び第３孔５５の内径よりも直径が小さく形成されている（図２Ｂ参照）。そのため、操作部４２０と第１孔５３及び第３孔５５との間に隙間が生じ、その隙間を通して虫などの異物を本体１内に進入する可能性がある。そこで、図１１に示すように、操作部４２０の先端又は先端近傍に円盤状の鍔部４２０１が設けられることが好ましい。さらに、この鍔部４２０１の直径は、第１孔５３及び第３孔５５の内径よりも大きいことが好ましい。つまり、操作部４２０に設けられる鍔部４２０１により、操作部４２０と第１孔５３及び第３孔５５との隙間が狭められるため、虫などの異物を本体１内に進入し難くさせることができる。
【００４５】
本実施形態に係る非常用照明装置Ｘは上述のように、本体１と、光源ユニット２と、電池ユニット３と、点灯ユニット４と、カバー５とを備える。本体１は、前面が開口した有底筒状に形成される。電池ユニット３は、電池３０と、電池３０を収容する電池ケース３１とを有する。点灯ユニット４は、電池３０を充電し、かつ、電池３０から供給される電力で光源ユニット２を点灯させる点灯装置４０と、点灯装置４０を収容する筐体４１と、操作部材４２とを有する。光源ユニット２は、筐体４１の前面に取り付けられる。カバー５は、光源ユニット２から放射される光が通過する窓孔５０を有し、本体１の前面の開口を開放可能に塞ぐように構成される。電池ケース３１は、（本体１の）開口を通して本体１内に抜き差し可能に挿入される。点灯装置４０は、外部電源Ｗから供給される電力で電池３０を充電する充電回路４０１と、外部電源Ｗが停電したときに電池３０から供給される電力で光源ユニット２を点灯させる点灯回路４０２とを有する。また、点灯装置４０は、押釦スイッチ４０６Ａと、発光素子（モニタランプ４０５）と、制御回路４０４と、回路基板４４とを有する。制御回路４０４は、押釦スイッチ４０６Ａの押釦４０６０Ａが押操作されたときに点灯回路４０２に光源ユニット２を点灯させ、充電回路４０１が電池３０を充電しているときにモニタランプ４０５を発光させるように構成される。回路基板４４は、少なくともモニタランプ４０５及び押釦スイッチ４０６Ａを第１面に実装する。さらに、回路基板４４は、モニタランプ４０５が本体１の前面に近い方の端部に実装され、本体１の前方（下方）から見てモニタランプ４０５の後（上）に押釦スイッチ４０６Ａが実装されている。そして、回路基板４４は、第１面を本体１の内周面に対向させるように筐体４１内に収容される。操作部材４２は、操作部４２０と、押圧部（第１押圧部４２１）と、連結部４２２とを有する。操作部４２０は、カバー５の前面に設けられる孔（第１孔５３）に臨むように構成される。第１押圧部４２１は、本体１の前後方向（上下方向）に沿って押釦スイッチ４０６Ａの押釦４０６０Ａと対向するように構成される。連結部４２２は、第１押圧部４２１と操作部４２０を連結し、かつ、本体１の前方から見て操作部４２０をモニタランプ４０５と重ねないように構成される。
【００４６】
本実施形態に係る非常用照明装置Ｘが上述のように構成されれば、回路基板４４の第１面にモニタランプ４０５と押釦スイッチ４０６Ａが前後方向に並べて実装されても、モニタランプ４０５から放射される光が操作部４２０に遮られない。そのため、本実施形態に係る非常用照明装置Ｘは、回路基板４４の第１面にモニタランプ４０５と押釦スイッチ４０６Ａが前後方向と交差する方向に隣り合って実装される場合と比較して、点灯ユニット４を構成する回路基板４４の小型化を図ることができる。
【００４７】
また、本実施形態に係る非常用照明装置Ｘにおいて、点灯ユニット４は、操作部材４２を本体１の前後方向（上下方向）に沿って移動可能に支持する支持部材４５を有することが好ましい。
【００４８】
本実施形態に係る非常用照明装置Ｘが上述のように構成されれば、支持部材４５に支持させることにより、操作部材４２をスムーズに移動させて操作性の向上を図ることができる。
【００４９】
さらに、本実施形態に係る非常用照明装置Ｘにおいて、操作部４２０は、カバー５の前方（下方）から見て第１孔５３と重なる鍔部４２０１を有することが好ましい。
【００５０】
本実施形態に係る非常用照明装置Ｘが上述のように構成されれば、操作部４２０と第１孔５３との間に生じる隙間を鍔部４２０１で狭めることにより、虫などの異物を本体１内に進入し難くさせることができる。
【００５１】
次に、点灯ユニット４における操作部材の構成のみが異なる別の実施形態に係る非常用照明装置Ｘについて、図１２及び図１３を参照して説明する。本実施形態に係る非常用照明装置Ｘにおける操作部材４６は、操作部４６０と、押圧部４６１と、連結部４６２とを有することが好ましい。操作部４６０は、図１２及び図１３に示すに示すように、おおよそ円錐台形状に形成されることが好ましい。押圧部４６１は、おおよそ半円柱状に形成されることが好ましい。連結部４６２は、おおよそ円柱状に形成され、操作部４６０の底面から上方に突出し、かつ、上端面で押圧部４６１と連結するように構成されることが好ましい（図１２及び図１３参照）。ただし、操作部材４６は、ポリカーボネート樹脂やアクリル樹脂等の透光性を有する材料によって、操作部４６と押圧部４６１と連結部４６２とが一体に形成されることが好ましい。
【００５２】
操作部材４６は、連結部４６２の端面をモニタランプ４０５に対向させ、押圧部４６１の端面を押釦スイッチ４０６Ａの押釦４０６０Ａに対向させるようにして、上下方向に移動可能となるように筐体４１に取り付けられる。そして、操作部材４６は、操作部４６０が押されることで上向きに移動し、押圧部４６１で押釦４０６０Ａを押して押釦スイッチ４０６Ａをオンさせることができる。しかも、操作部４６０と連結部４６２がモニタランプ４０５の光を透過させるように構成されているので、モニタランプ４０５が発する光を操作部材４６に導光させてカバー５の外に放射させることができる。
【００５３】
このように本実施形態に係る非常用照明装置Ｘでは、モニタランプ４０５が発する光を操作部材４６に導光させるように構成されているので、操作部材４６、特に操作部４６０の寸法を大きくして操作性の向上を図ることができる。また、本実施形態に係る非常用照明装置Ｘにおいて、操作部４６０の外径をカバー５の第１孔５３の内径よりも大きくすれば、操作部４２０と第１孔５３との間に生じる隙間を狭めて虫などの異物を本体１内に進入し難くさせることができる。
【００５４】
本実施形態に係る非常用照明装置Ｘは上述のように、本体１と、光源ユニット２と、電池ユニット３と、点灯ユニット４と、カバー５とを備える。本体１は、前面が開口した有底筒状に形成される。電池ユニット３は、電池３０と、電池３０を収容する電池ケース３１とを有する。点灯ユニット４は、電池３０を充電し、かつ、電池３０から供給される電力で光源ユニット２を点灯させる点灯装置４０と、点灯装置４０を収容する筐体４１と、操作部材４６とを有する。光源ユニット２は、筐体４１の前面に取り付けられる。カバー５は、光源ユニット２から放射される光が通過する窓孔５０を有し、本体１の前面の開口を開放可能に塞ぐように構成される。電池ケース３１は、（本体１の）開口を通して本体１内に抜き差し可能に挿入される。点灯装置４０は、外部電源Ｗから供給される電力で電池３０を充電する充電回路４０１と、外部電源Ｗが停電したときに電池３０から供給される電力で光源ユニット２を点灯させる点灯回路４０２とを有する。また、点灯装置４０は、押釦スイッチ４０６Ａと、発光素子（モニタランプ４０５）と、制御回路４０４と、回路基板４４とを有する。制御回路４０４は、押釦スイッチ４０６Ａの押釦４０６０Ａが押操作されたときに点灯回路４０２に光源ユニット２を点灯させ、充電回路４０１が電池３０を充電しているときにモニタランプ４０５を発光させるように構成される。回路基板４４は、少なくともモニタランプ４０５及び押釦スイッチ４０６Ａを第１面に実装する。さらに、回路基板４４は、モニタランプ４０５が本体１の前面に近い方の端部に実装され、本体１の前方（下方）から見てモニタランプ４０５の後（上）に押釦スイッチ４０６Ａが実装されている。そして、回路基板４４は、第１面を本体１の内周面に対向させるように筐体４１内に収容される。操作部材４６は、操作部４６０と、押圧部４６１と、連結部４６２とを有する。操作部４６０は、カバー５の前面に設けられる孔（第１孔５３）に臨むように構成される。押圧部４６１は、本体１の前後方向に沿って押釦スイッチ４０６Ａの押釦４０６０Ａと対向するように構成される。連結部４６２は、押圧部４６１と操作部４６０を連結するように構成される。連結部４６２は、本体１の前方（下方）から見て操作部４６０をモニタランプ４０５と重ねるように構成される。少なくとも連結部４６２と操作部４６０は、モニタランプ４０５から放射される光を導光するように構成される。
【００５５】
本実施形態に係る非常用照明装置Ｘが上述のように構成されれば、点灯ユニット４を構成する回路基板４４の小型化を図ることができる。しかも、操作部４２０をモニタランプ４０５と重ねないように構成される場合と比較して、操作部材４６の操作部４６０を大きくして操作性の向上を図ることができる。
【００５６】
なお、本実施形態に係る非常用照明装置Ｘは天井の埋込孔に埋込配設される構造に限らず、天井面に本体１が直付けされる構造であっても構わない。
【符号の説明】
【００５７】
Ｘ  非常用照明装置
１  本体
２  光源ユニット
３  電池ユニット
４  点灯ユニット
５  カバー
３０  電池
３１  電池ケース
４０  点灯装置
４１  筐体
４２  操作部材
４４  回路基板
４５  支持部材
４６  操作部材
５０  窓孔
５３  第１孔（孔）
４０１  充電回路
４０２  点灯回路
４０４  制御回路
４０５  モニタランプ（発光素子）
４０６Ａ  押釦スイッチ
４２０  操作部
４２１  第１押圧部（押圧部）
４２２  連結部
４６０  操作部
４６１  押圧部
４６２  連結部
４０６０Ａ  押釦
４２０１  鍔部
【図１】
0006731628.tif 000002
【図２】
0006731628.tif 000003
【図３】
0006731628.tif 000004
【図４】
0006731628.tif 000005
【図５】
0006731628.tif 000006
【図６】
0006731628.tif 000007
【図７】
0006731628.tif 000008
【図８】
0006731628.tif 000009
【図９】
0006731628.tif 000010
【図１０】
0006731628.tif 000011
【図１１】
0006731628.tif 000012
【図１２】
0006731628.tif 000013
【図１３】
0006731628.tif 000014